(57)【要約】 【課題】複数の作例画像から、撮像状況に応じた作例画像を検索する際のユーザの負担を軽減する撮像装置を提供する。【解決手段】画像データを生成する撮像生成部と、撮像生成部によって撮像される際の撮像シーンを判定するシーン判定部と、シーン判定部によって判定された判定結果に基づき、撮像状況に応じた検索条件と当該検索条件を満たす作例画像データとが対応付けられた作例検索データから、判定結果に応じた検索条件に対応する作例画像データを検索する検索部と、検索部によって検索された作例画像データを表示する表示部とを備えることを特徴とする。【選択図】図１
2010258765.tif 000002
【特許請求の範囲】
【請求項１】
光学系による光学像を撮像することにより、画像データを生成する撮像生成部と、
前記撮像生成部によって撮像される際の撮像シーンを判定するシーン判定部と、
前記シーン判定部によって判定された判定結果に基づき、撮像状況に応じた検索条件と当該検索条件を満たす作例画像データとが対応付けられた作例検索データから、前記判定結果に応じた検索条件に対応する前記作例画像データを検索する検索部と、
前記検索部によって検索された前記作例画像データを表示する表示部と
を備えることを特徴とする撮像装置。
【請求項２】
前記シーン判定部は、
前記撮像生成部によって撮像された前記画像データを解析して前記撮像シーンを判定し、判定された前記撮像シーンに応じた主要被写体を判定し、
前記検索部は、
前記判定部によって判定された前記撮像シーンと前記主要被写体との組み合わせに応じた検索条件に対応する前記作例画像データを検索する
ことを特徴とする請求項１に記載の撮像装置。
【請求項３】
ユーザからの操作が入力される操作部と、
前記操作部を介して前記ユーザによって前記作例画像データが選択された場合、前記作例検索情報において選択された前記作例画像データと対応付けられている撮影条件に従って、前記撮像生成部を制御する制御部と
をさらに備えることを特徴とする請求項１あるいは２に記載の撮像装置。
【請求項４】
前記表示部は、
前記検索部によって検索された前記作例画像データに基づく画像と、前記撮像生成部によって撮像された画像データに基づく画像とを同一画面内に表示することを特徴とする請求項１から３のいずれか一項に記載の撮像装置。
【請求項５】
前記作例検索データを記憶する記憶部を備えることを特徴とする請求項１から４のいずれか一項に記載の撮像装置。
【請求項６】
外部に設けられ前記作例検索データを記憶する記憶装置と通信を行う通信部を有し、
前記検索部は、
前記通信部によって、前記作例検索データを読み出すことを特徴とする請求項１から４のいずれか一項に記載の撮像装置。
【請求項７】
前記撮像生成部によって撮像される撮像時の状況を表す撮像時情報を検出する検出部をさらに備え、
前記検索部は、
前記シーン判定部によって判定された判定結果と前記検出部により検出された撮像時情報との組み合わせに応じた検索条件に対応する前記作例画像データを検索する
ことを特徴とする請求項１から６のいずれか一項に記載の撮像装置。
【請求項８】
前記表示部は、前記撮像生成部によって撮像された画像データに基づく画像を前記表示部の表示画面に全画面表示し、前記検索部によって検索された前記作例画像データの縮小画像を、前記撮像生成部によって撮像された画像データに基づく画像の上に重ね合わせて表示することを特徴とする請求項４に記載の撮像装置。
【請求項９】
前記表示部は、前記撮像生成部によって撮像された画像データに基づく画像を前記表示部の表示画面に全画面表示し、前記検索部によって検索された前記作例画像データを半透過処理した画像を、前記撮像生成部によって撮像された画像データに基づく画像の上に前記表示画面の全体にわたって重ね合わせて表示することを特徴とする請求項４に記載の撮像装置。
【発明の詳細な説明】
【技術分野】
【０００１】
本発明は、被写体像を撮像する撮像部を備える撮像装置に関する。
【背景技術】
【０００２】
撮像装置では、撮影条件が複数の設定値（例えば、絞り値やフォーカス値等）の組み合わせに基づき決まるため、この設定値の組み合わせには様々なパターンがある。また、撮像装置では、例えば、ユーザによって決定されるレンズの向きによって被写体の構図が決定されるため、被写体の構図のとり方にも様々なパターンがある。
一方、複数の画像データが記憶されている記憶部からユーザが所望する画像データを検索する場合、ユーザがタッチペンで画面に描画することによって入力される描画情報に基づき、描画情報に類似する画像データを検出する技術がある（特許文献１参照）。
【先行技術文献】
【特許文献】
【０００３】
【特許文献１】特許第３６６０９４３号公報
【発明の概要】
【発明が解決しようとする課題】
【０００４】
しかしながら、ユーザによる設定値の調整や構図の取り方を容易にするため、例えば、撮影条件の組み合わせや構図の様々なパターンに応じた画像データを用意する場合、膨大な数の画像データが生成される。従って、この膨大な数の画像データが記憶されている記憶装置から、ユーザの所望する画像データを検索することは困難であった。
一方、特許文献１のような技術を用いて、膨大な画像データからユーザの所望する画像データを、ユーザによって描画された描画情報に基づき検索しようとすると、ユーザは所望の画像に応じた描画をしなければならない。そうすると、ユーザの描画力が必要となり、この描画力によっては入力される検索条件にユーザ毎のばらつきが生じてしまう。さらに、描画する作業が煩雑であるという問題があった。
【０００５】
本発明は、このような事情を考慮し、上記の問題を解決すべくなされたものであって、その目的は、複数の画像データから特定の画像データを検索する際のユーザの負担を軽減する撮像装置を提供することにある。
【課題を解決するための手段】
【０００６】
上記問題を解決するために、本発明に係る撮像装置は、光学系による光学像を撮像することにより、画像データを生成する撮像生成部と、前記撮像生成部によって撮像される際の撮像シーンを判定するシーン判定部と、前記シーン判定部によって判定された判定結果に基づき、撮像状況に応じた検索条件と当該検索条件を満たす作例画像データとが対応付けられた作例検索データから、前記判定結果に応じた検索条件に対応する前記作例画像データを検索する検索部と、前記検索部によって検索された前記作例画像データを表示する表示部とを備えることを特徴とする。
【発明の効果】
【０００７】
本発明によれば、複数の画像データから特定の画像データを検索する際のユーザの負担を軽減することができる。
【図面の簡単な説明】
【０００８】
【図１】本発明の一実施の形態に係る撮像装置の構成の一例を示すブロック図である。
【図２】本発明の一実施の形態に係る撮像装置のシーン判定において利用されるシーン判定条件情報の一例を示す概略図である。
【図３】本発明の一実施の形態に係る撮像装置の作例画像データの検索において利用される作例検索情報の一例を示す概略図である。
【図４】本発明の一実施の形態に係る撮像装置によって撮影される前の状態の一例を示す概略図である。
【図５】本発明の一実施の形態に係る撮像装置に作例画像データが表示された状態の一例を示す概略図である。
【図６】本発明の一実施の形態に係る撮像装置の動作処理の一例について説明するフローチャートである。
【図７】本発明の一実施の形態に係る撮像装置の動作処理の他の例について説明するフローチャートである。
【発明を実施するための形態】
【０００９】
以下、図面を参照して、本発明に係る撮像装置１の一実施形態について説明する。図１は、本発明の一実施の形態に係る撮像装置１の構成を示す概略図である。
図１に示すとおり、本実施の形態に係る撮像装置１は、撮像生成部１０と、ＣＰＵ２０と、操作部３１と、位置情報検出部３２、気候情報検出部３３、時計部３４、バッファメモリ部３５と、表示部３６と、メモリ部３７と、通信部３８、Ｉ／Ｆ（インターフェース）部３９と、バス４０とを備える。
【００１０】
撮像生成部１０は、光学系１１、撮像素子１２、Ａ/Ｄ変換部１３を含む撮像部１４と、画像処理部１５とを含み、設定された撮影条件に基づきＣＰＵ２０によって制御され、光学系１１から入射した光に基づき、デジタル信号である画像データを生成する。ここで、撮影条件とは、撮像制御条件と画像処理条件を含み、これら条件に基づく複数の設定値や任意の設定が有効あるいは無効となっていることを表す情報である。
ここで、撮像制御条件は、撮像部１４が画像を撮像する際に利用される複数の設定値（例えば、絞り値、ＩＳＯ感度、ＡＥ（ automatic exposure ）補正値、フォーカス値、シャッタースピード、撮像感度、ストロボの発光状態の情報等）を含む。撮像制御条件は、撮像部１４によって撮像された際、得られた画像データに属性情報として付与される。
一方、画像処理条件は、撮像部１４によって撮像された画像データに対して、輪郭強調処理、色再現処理、ホワイトバランス（ＷＢ）調整処理、明るさ補正処理（γ値）、ソフト効果処理、彩度調整処理、ノイズ低減処理、ピクチャーコントロールシステム処理、Ｄライティング処理、等の画像処理を行うか否かを表す情報や、各処理に関する設定値を含む。
【００１１】
光学系１１は、撮像制御情報に従ってレンズ１１１を駆動し、レンズ１１１から撮像素子１２に入射する光の光量や合焦位置を調整して、入射光を撮像素子１２の受光面に結像させる。撮像素子１２は、撮像制御条件に基づく露出時間で、受光面に結像した画像を光電変換する。Ａ/Ｄ変換部１３は、撮像素子１２から出力されたアナログ信号の画像情報をデジタル信号に変換する。
この構成により、撮像部１４は、シャッターボタン（例えば、操作部３１）等を介してユーザから撮影指示（レリーズ）が入力されると、設定された撮像制御条件に基づき、レンズ１１１に入射した光に基づく画像データを生成する。
また、撮像部１４は、ユーザからの撮影指示がない状態でも、撮像素子１２によって撮像される画像データを生成する。ここで、撮像指示が入力された際に撮像部１４によって撮影された画像データを撮影画像データと、撮像指示が入力されるより前において撮像される画像データをスルー画データと、以下呼称する。
【００１２】
画像処理部１５は、設定された画像処理条件に従って、撮像部１４によって撮像された画像データに対して、輪郭強調処理、色再現処理、ホワイトバランス（ＷＢ）調整処理、明るさ補正処理（γ値）、ソフト効果処理、彩度調整処理、ノイズ低減処理、ピクチャーコントロールシステム処理、Ｄライティング処理等の画像処理を行う。
【００１３】
ＣＰＵ２０は、シーン判定部２１と、検索部２２と、制御部２３とを備え、撮像装置１を統括的に制御する。
シーン判別部２１は、撮像部１４によって撮像された画像データを解析し、撮像される際の撮像シーンを判定する。例えば、シーン判定部２１は、画像データを解析することによって、画像データの色情報、輝度分布、コントラスト、彩度および周波数成分を検出し、これら検出データを解析結果として得る。また、シーン判定部２１は、画像データが撮像部１４によって撮像された際の撮像制御条件等の属性情報も解析結果として検出する。
さらに、シーン判定部２１は、メモリ部３７に記憶されているシーン判定条件情報６０を参照して、撮像制御条件や解析結果あるいは画像処理部１５による画像処理結果等に基づき、シーン判定条件を満たすか否かを判断し、撮像シーンを判定する。
【００１４】
ここで、シーン判定条件情報６０について図２を用いて説明する。図２は、撮像シーン６１とシーン判定条件６２とが対応付けられているシーン判定条件情報６０の一例を示す図である。
図２に示す通り、撮像シーン６１「風景」は、シーン判定条件６２として、「撮像制御部１４によって光学系１１が制御されて合焦される被写体までの焦点距離が無限大（∞）であること」と対応付けられている。また、撮像シーン６１「ポートレート」は、シーン判定条件６２として、「顔認識機能に従って画像処理された際に「顔」に対応する画像領域が検出されること」と対応付けられている。さらに、撮像シーン６１「夜景」は、シーン判定条件６２として、「輝度分布が一定値以下であること」と対応付けられている。さらにまた、撮像シーン６１「逆光」は、シーン判定条件６２として、「コントラストが高い画像領域を検出した場合、コントラストが高い部分を境として主要被写体と背景を決定し（例えば、画面の下側に対応する画像領域をより多く含む部分を主要被写体とする）、主要被写体に対応する画像領域の輝度が、被写体の周りである背景の画像領域の輝度に比べて低いこと」と対応付けられている。撮像シーン６１「接写」は、シーン判定条件６２として、「被写体までの焦点距離が５０ｃｍ以下であること」と対応付けられている。
例えば、シーン判定部２１は、スルー画データが撮像される際にＣＰＵ２０によってＡＦ制御された焦点距離が無限大（∞）である場合、メモリ部３７から読み出したシーン判定条件情報６０を参照して、この撮像制御条件（焦点距離＝∞）がシーン判定条件６２を満たす撮像シーン６１「風景」を検出し、当該スルー画データを撮像した際の撮像シーンは「風景」であることを判断する。
【００１５】
また、シーン判定部２１は、シーン判定によって得られる解析結果や画像処理結果に基づき、判定された撮像シーンに応じた主要被写体を検出する。
例えば、シーン判定部２１は、スルー画データの撮像シーンが「風景」であると判定した場合、撮像シーンが「風景」である場合の主要被写体として、メモリ部３７の主要被写体情報８０を参照して、対応する主要被写体を検出する。
主要被写体情報８０には、各撮像シーンと、当該撮像シーンに応じた主要被写体と、この主要被写体を検出する主要被写体を検出するための特徴量を表す判断条件とが対応づけられている。また、主要被写体情報８０において、撮像シーン「風景」は、主要被写体「山、海、建物、空・・・」等とが対応付けられている。
シーン判定部２１は、解析結果や画像処理結果に基づき、各主要被写体を表す特徴量を検出し、各主要被写体の特徴量に基づき判断条件と対応する主要被写体を検出する。
【００１６】
検索部２２は、シーン判定部２１によって判定された判定結果に基づき、メモリ部３７に記憶されている作例検索情報７０を参照して、検索条件を満たす作例画像データを検索する。
ここで、作例検索情報７０について図３を用いて説明する。図３は、作例検索情報７０の一例を示す図である。
図３に示す通り、作例画像情報７０は、シーン判定部２１によって判定された判定結果７１０と、撮像状況に応じた検索条件７１１と、当該検索条件７１１を満たす作例画像データ７１２と、撮影条件７１３とが対応付けられている。
【００１７】
検索条件７１１は、シーン判定部２１によって得られた主要被写体および解析情報と、時計部３４によって得られた日時情報と、位置情報検出部３２によって得られた位置情報との組み合わせからなる条件であって、それぞれ作例画像データと対応付けられている。
作例画像データ７１２は、対応付けられている検索条件７１１を満たす画像の作例を表す画像データであって、表示部３６においてスルー画データと同時に表示される画像データである。ここで、作例画像データ７１２は、例えば、表示部３６においてスルー画データよりは小さく縮小されている画像（例えばサムネイル）として表示されるデータである。
撮影条件７１３は、撮像生成部１０を制御するための撮影制御条件および画像処理条件としての各設定値であって、例えば、ＡＥ補正値、輪郭強調、色再現、フォーカス位置、γ値・・・が作例画像データ７１２と対応付けされている。このＡＥ補正値、輪郭強調、色再現、フォーカス位置、γ値は、それぞれ対応付けられている作例画像データ７１２を撮像するための撮影条件である。
【００１８】
制御部２３は、表示部３６に表示されている作例画像データ７１２に基づく作例画像が、操作部３１を介して入力されるユーザの操作入力によって選択された場合、作例画像情報７０において、ユーザによって選択された作例画像の作例画像データ７１２と対応付けられている撮影条件７１３を読み出し、読み出した撮影条件７１３に従って撮像生成部１０を制御する。例えば、制御部２３は、読み出した撮影条件７１３のうち、ＡＥ補正値およびフォーカス位置に基づき、撮像部１４を制御し、輪郭強調、色再現、γ値に基づき、画像処理部１５を制御する。
なお、制御部２３は、例えば、フォーカス位置の情報に基づき、撮像素子１２の受光面に被写体を合焦されるＡＦ制御が可能であり、ＡＦ制御によって算出されるデフォーカス量に基づき、受光面において合焦される被写体までの焦点距離を算出できる。
【００１９】
操作部３１は、電源スイッチ、レリーズボタン、操作ボタン等を含み、ユーザに操作されることによって、ユーザからの撮影指示（レリーズ）や選択指示をＣＰＵ２０に出力する。操作部３１を介して入力されるユーザの撮影指示によって、ＣＰＵ２０は、撮像部１４に対して撮影を指示する。また、操作部３１は、表示部３６がタッチパネル等である場合は、表示部３６の画面上に表示される操作領域であってもよく、表示部３６に表示されている作例画像がユーザによってタッチされることで、ユーザからの操作指示が入力されるものであってもよい。
【００２０】
位置情報検出部３２は、例えば、地球上における位置を計測するシステムであるＧＰＳ（ Global Positioning System ）によって検出される位置情報を送信する外部の位置情報管理装置５１とネットワークを介して接続されている。位置情報検出部３２は、位置情報管理装置５１から位置情報を受信し、この位置情報をＣＰＵ２０に出力する。
気候情報検出部３３は、例えば、地域毎の気温や湿度、晴れ、曇り、雨天等の気象状態に関する天候情報を送信する外部の天候情報管理装置５２と接続されている。天候情報検出部３３は、位置情報検出部３２によって検出された位置情報をネットワークを介して気候情報管理装置５２に送信し、気候情報管理装置５２から撮像装置１の位置に応じた気候情報を受信し、この気候報をＣＰＵ２０に出力する。
時計部３４は、時間と日時を計測し、計測した情報をＣＰＵ２０に出力する。
バッファメモリ部３５は、撮像部１０によって撮像された画像データを一時的に記憶するメモリであって、例えばスルー画情データを一時的に記憶する。
【００２１】
表示部３６は、例えば液晶表示装置であって、撮像部１４によって撮像された撮像データやスルー画データを表示する。また、表示部３６は、検索部２２によって検索された作例画像データに基づく作例画像と、スルー画データとを同一画面内に表示する。
【００２２】
ここで、図４、５を用いて表示方法の一例について説明する。図４は、被写体である山の風景を撮像装置１が撮像している状態を示す概略図である。また、図５は、図４に示す撮像装置１において検索部２２によって検索された作例画像データに基づく作例画像を表示部３６に表示した状態を示す概略図である。
図４には、撮像装置１が、遠く離れた山のある風景を撮像している状態を示しており、撮像装置１の表示部３６には、被写体としての山のある風景のスルー画のみが表示されている。
図５には、図４に示したとおり、山のある風景を撮像している状態の撮像装置１の表示部３６に、スルー画と作例画像７１２Ａ〜７１２Ｃを同一画面内に表示している状態が示されている。
【００２３】
図５に示す通り、表示部３６は、例えば、検索部２２によって検索された作例画像データに対して縮小表示するための処理をし、スルー画データに基づく画像を表示画面に全画面表示すると共に、縮小表示の処理がなされた作例画像データの縮小画像を、スルー画データの画像の上に重ね合わせて表示する。
また、表示部３６は、例えば、検索部２２によって検索された作例画像データに半透過処理をし、スルー画データに基づく画像を表示画面に全画面表示すると共に、半透過処理がなされた作例画像データの画像を、スルー画データの画像の全体にわたって重ね合わせて表示するものであってもよい。
なお、ここで、半透過処理とは、２以上の画像データを同一の画面上において重ね合わせた際に、上部（表示面側）に配置される半透過された画像データを表示すると共に、下部（表示面側から遠い方）に配置される画像も透過して表示する画像データを作成する処理である。また、表示部３６は、タッチパネル等の操作入力部を含む構成であってもよい。
【００２４】
メモリ部３７は、上述のシーン判定条件情報６０と、作例検索情報７０と、主要被写体情報８０とを記憶する。また、メモリ部３７は、撮像部１４によって撮像された撮像画像データ、および、撮像装置１の動作に関する設定値や撮像部１４の撮像制御条件、あるいは画像処理部１５によって利用される画像処理条件や、シーン判定部２１によって判定された撮像シーンや主要被写体等を記憶可能である。
【００２５】
通信部３８は、例えば、各撮像装置に作例検索情報７０の送信を行っている管理サーバ５３とネットワークを介して接続されており、また、無線通信やケーブル等を介して通信可能に接続されるデータ記憶装置５４とも接続可能である。管理サーバ５３およびデータ記憶装置５４は、作例検索情報７０を記憶している。通信部３８は、検索部２２によって作例検索情報７０の取得が指示されると、管理サーバ５３あるいはデータ記憶装置５４から作例検索情報７０を読み出す。
なお、本実施の形態において作例検索データ７０がメモリ部３６に記憶されている例を説明するが、本発明はこれに限られず、メモリ部３６に作例画像データ７０が存在しない場合には、管理サーバ５３あるいはデータ記憶装置５４から作例検索情報７０が検索部２２によって読み出され、メモリ部３６に一時的に記憶される構成であってもよい。
【００２６】
Ｉ／Ｆ部３９は、カードメモリ等の外部の記憶媒体５５と接続され、この記憶媒体５５への情報の書込み、読み出し、あるいは消去を行う。例えば、Ｉ／Ｆ部３９は、撮像生成部１０によって生成された撮像画像データを記憶媒体５５に書き込む。
バス４０は、画像処理部１５、撮像部１４、ＣＰＵ２０、バッファメモリ部３５、表示部３６、メモリ部３７、通信部３８およびＩ／Ｆ部３９とそれぞれ接続され、データ等を転送する。
【００２７】
次に、図６、７を用いて、本実施形態に係る撮像装置１の動作方法の一例について説明する。図６、７は、本実施形態に係る撮像装置１の動作方法の一例を示すフローチャートである。なお、ここでは、図４に示すような複数の山が連なる風景を被写体として撮像する撮像装置１を例として以下説明する。
図６に示す通り、撮影指示が入力される前において、撮像部１４によってスルー画データが撮像されると（ステップＳＴ１）、シーン判定部２１は、スルー画データを解析し、例えば、スルー画像データの色情報、輝度分布、コントラスト、彩度および周波数成分等を検出して、解析結果を得る（ステップＳＴ２）。次いで、シーン判定部２１は、メモリ部３７からシーン判定情報６０を読み出し、当該スルー画データが撮像された際の撮像制御条件や解析結果あるいは画像処理部１５によって当該スルー画データに画像処理がなされた場合の画像処理結果が、シーン判定条件を満たすか否かを判断し、撮像シーンを判定する（ステップＳＴ３）。
例えば、図４に示すような山のある風景を被写体として撮像する場合、撮像部１４は、焦点距離が無限大となるような撮像制御条件に従って撮像する。つまり、シーン判定部２１は、スルー画データに対応付けられている撮像制御条件が、シーン判定条件情報６０における撮像シーン６１「風景」と対応付けられているシーン判定条件６２を満たすか否かを判断し、シーン判定条件６２を満たす場合、撮像シーンが「風景」であることを検出する。
【００２８】
次いで、シーン判定部２１は、メモリ部３７に記憶されている主要被写体情報８０を読み出し、シーン判定で得た解析結果や画像処理結果に基づき、判定された撮像シーンに応じた主要被写体を検出する（ステップＳＴ４）。
例えば、シーン判定部２１は、スルー画データの撮像シーンが「風景」であると判定した場合、主要被写体情報８０を参照して、撮像シーンが「風景」である場合の主要被写体「山、海、建物、空・・・」等と対応付けられている判断条件と、シーン判定を行う際に得た解析結果や画像処理結果とを比較する。ここで、スルー画データは、「山」を表す特徴量を有しているため、シーン判定部２１は、主要被写体は「山」であることを検出する。
そして、シーン判定部２１は、シーン判定結果（撮像シーンが「風景」であること）と、検出された主要被写体が「山」であることを表す情報と、シーン判定で得られた解析結果および画像処理結果等を、検索部２２に出力する。
【００２９】
検索部２２は、例えば、メモリ部３７から作例検索情報８０を読み出し、シーン判定部２１によって判定された判定結果と、検出された主要被写体が「山」であることを表す情報と、シーン判定を行う際に得た解析結果および画像処理結果等に基づき、検索条件７１１を満たす作例画像データ７１２を検索し（ＳＴ５）、撮像シーンが「風景」であって、かつ、主要被写体が「山」ある作例画像７１２Ａ〜７１２Ｅの作成画像データを検出する。
また、検索部２２は、作例画像データが検出されると、検出された作例画像７１２Ａ〜７１２Ｅと対応付けられている検索条件７１１のうち、解析情報、日時情報、位置情報および気候情報と、シーン判定部２１から入力解析結果、位置情報検出部３２から入力された位置情報、気候情報検出部３３から入力された気候情報、および時計部３４から入力された日時情報とを、それぞれ比較する。
そして、検索部２２は、比較結果に基づき、当該スルー画データと作例画像７１２Ａ〜７１２Ｅとの類似度を算出する。ここで、類似度とは、スルー画データが作例画像データと類似する度合いを表す評価値であって、例えば、複数の検索条件のうち、該当する検索条件の個数の合計が多いものの類似度が高い。
そして、検索部２２は、検出した作例画像データを表示部３６に出力する。
【００３０】
表示部３６は、予め設定されている表示方式に応じて、スルー画データに基づくスルー画像と同一の画面内に表示可能な表示枚数（例えば、３枚）と、検出された作例画像データの数を比較し、作例画像データの方が多い場合は、類似度が高い作例画像データの上位３枚を選択し（ステップＳＴ７）、選択した３枚を表示部３６の表示画面に表示する。
例えば、検索部２２によって図３に示した作例検索情報７０のうち作例画像７１２Ａ〜７１２Ｅが検出された場合、表示枚数よりも多いため、表示部３６は、作例画像データの類似度が上位３位である作例画像７１２Ａ〜７１２Ｃを選択する。そして、表示部３６は、図５に示すように、作例画像データ７１２Ａ〜７１２Ｃに基づく縮小画像を表示する。そして、図７に示す処理動作に移行する。
【００３１】
図７において、例えば、表示部３６に表示された作例画像７１２Ａ〜７１２Ｃのうち、作例画像７１２Ａがユーザによって選択されると（ステップＳＴ９）、制御部２３は、メモリ部３７から、作例画像情報７０において作例画像データ７１２Ａと対応付けられている撮影条件７１３を読み出し、読み出した撮影条件７１３を、撮像生成部１０を制御するための撮影条件としてメモリ部３７に記憶させる（ステップＳＴ１０）。
ここで、操作部３１のレリーズボタンがユーザによって押下されると、制御部２３は、記憶部３７に記憶されている撮影条件に従って、撮像生成部１０を制御する（ステップＳＴ１１）。これによって、作例画像データ７１２Ａと対応付けられた撮影条件７１３に従って、撮像部１４が撮影画像データを生成すると共に、画像処理部１５が撮像画像データに対して画像処理をする。なお、撮影条件７１３において画像処理条件に対応する設定値が対応付けられていない場合、画像処理部１５による画像処理は行われない。
【００３２】
上述の通り、本実施形態に係る撮像装置１は、撮影条件に対応する複数の作例画像データを含む作例検索情報７０から、スルー画データの解析結果等から撮像時の状況に応じた検索条件を満たす作例画像データを検索する検索部２２を備えることにより、複数の作例画像データの中から、撮像時の状況に適した作例画像データを検出するようにした。これにより、撮像装置１は、撮像されるスルー画データに基づき、複数の作例画像データからある程度の数だけ、撮像時の状況に応じた作例画像データをユーザに提供することができる。また、ユーザは、撮像装置１によって検索された作例画像データを、表示部３６に表示される作例画像を視覚的に認識し、所望する作例画像データを選択することができる。これにより、複数の作例画像から、撮像状況に応じた作例画像を検索する際のユーザの負担を軽減することができる。また、ユーザは、検索された作例画像を参考にして、所望の写真を撮像することができる。
また、本実施形態に係る撮像装置１は、スルー画データの解析結果や、撮像装置１の位置情報や気候情報、撮像時の日付情報に応じた作例画像を検索し、検索された作例画像のうちある程度の数の作例画像のみを表示部３６に表示するようにした。これにより、ユーザが撮像装置１のレンズ１１１を被写体に向けるだけで、撮像状況に応じて撮像装置１によって絞られた作例画像が表示されるため、ユーザの検索負担が軽減される。さらに、ユーザは、撮像装置１によって検索されて表示されている作例画像を選択するという簡単な操作によって、様々な撮影条件に従った撮像をすることができる。
【００３３】
また、本実施形態に係る撮像装置１は、シーン判定部２２によって判定された撮像シーンに加えて、撮像シーンに応じた主要被写体を検出し、撮像シーンと主要被写体とが対応する作例画像データを検索する検索部２２を備えるようにした。これにより、撮像シーンによって区分されている作例画像データよりも、さらに細分化された作例画像データを検出することができ、撮像時の状況により適した作例画像データに絞って検出することができる。従って、表示部３６に表示される作例画像も絞られるため、撮像状況に応じた作例画像を検索する際のユーザの負担を軽減することができる。
【００３４】
さらに、本実施形態に係る撮像装置１は、表示部３６に表示されている作例画像がユーザによって選択された場合、作例検索情報において選択された作例画像と対応付けられている撮影条件に従って撮像生成部を制御する制御部２３を備えるようにした。これにより、ユーザは、撮影条件を決定するための設定値をそれぞれ入力する必要がなく、所望の作例画像を選択するだけで、所望の作例画像を撮像するための撮影条件に従って撮影することができる。
【００３５】
また、本実施形態に係る撮像装置１は、検索された作例画像と、撮影前の被写体の状態を表すスルー画とを同一画面内に、表示部３６に表示されるようにした。これにより、ユーザは撮像時の状況を表示部３６に表示されるスルー画を確認しながら、作例画像を選択することができる。これにより、ユーザは、所望する撮影条件に適した作例画像を選択しやすくなり、簡単に様々な撮影条件に従った撮影をすることができる。また、半透過の作例画像を表示部３６の全画面に重ね合わせて表示することにより、作例画像の構図を参考にした画像を簡単に撮影することができる。
【００３６】
なお、本実施形態に係る撮像装置１は、上記構成に限られず、以下のような構成要件の変更、置換、あるいは追加等が可能である。
例えば、作例検索情報７０は、メモリ部３７に記憶されている構成について説明したが、常に管理サーバ５３やデータ記憶装置５４から読み出す構成であってもよく、また、作例画像データ７０において適当なデータが検索されない場合に、管理サーバ５３やデータ記憶装置５４に他の作例検索情報７０が記憶されていないか読み出す構成であってもよい。また、撮像装置１は、管理サーバ５３やデータ記憶装置５４に記憶されている作例検索情報７０が更新された場合、更新された作例検索情報７０を読み出し、メモリ部３７の作例検索情報７０を更新する構成であってもよい。
【符号の説明】
【００３７】
１・・・撮像装置、  １０・・・撮像生成部、１４・・・撮像部、１５・・・画像処理部、２１・・・シーン判定部、２２・・・検索部、２３・・・制御部、３１・・・操作部、３２・・・位置情報検出部、３３・・・気候情報検出部、３４・・・時計部、３６・・・表示部、３７・・・メモリ部、３８・・・通信部、５４・・・データ記憶装置、
６０・・・シーン判定条件情報、７０・・・作例検索情報、８０・・・主要被写体情報、
【図１】
2010258765.tif 000003
【図２】
2010258765.tif 000004
【図３】
2010258765.tif 000005
【図４】
2010258765.tif 000006
【図５】
2010258765.tif 000007
【図６】
2010258765.tif 000008
【図７】
2010258765.tif 000009